(57)【要約】      （修正有）【課題】構造が簡単で支承装置取付用プレートとアンカーボルトの固定作業が容易で、地震時の水平力、上揚力に対する抵抗性が大きく、支承装置取替えのための撤去作業も容易にできる支承装置固定用カプラーを提供する。【解決手段】支承装置固定用カプラー１７において、支承装置取付用プレート５に形成した取付穴１０の内径より大径なフランジ部１５と、前記取付穴１０の内径とほぼ同じ外径の円筒形カプラー本体部と、前記カプラー本体部に形成されるアンカーボルト螺着用の有底雌ネジ穴２６と、前記フランジ部１５に形成される回動工具係合部とを備えることを特徴とする。【選択図】図４
2010216086.tif 000002
【特許請求の範囲】
【請求項１】
支承装置取付用プレートに形成した取付穴の内径より大径なフランジ部と、前記取付穴の内径とほぼ同じ外径の円筒形のカプラー本体部と、前記カプラー本体部に形成されるアンカーボルト螺着用の有底雌ネジ穴と、前記フランジ部に形成される回動工具係合部とを備えることを特徴とする支承装置固定用カプラー。
【請求項２】
前記回動工具係合部を、多角形のフランジ、係合凹部、係合凸部のいずれかとすることを特徴とする請求項１に記載の支承装置固定用カプラー。
【請求項３】
前記アンカーボルト螺着用の有底雌ねじ穴の底部の位置を前記フランジ部から前記支承装置取付プレートの厚み以下になるように形成することを特徴とする請求項１又は２に記載の支承装置固定用カプラー。
【発明の詳細な説明】
【技術分野】
【０００１】
本発明は、建築物や橋梁等の構造物の上部構造と下部構造の間に配置される支承装置を、上部構造又は下部構造にアンカーボルトを介して固定するための支承装置固定用カプラーに関する。
【背景技術】
【０００２】
支承装置を構造物に固定する構造として、上部構造又は下部構造に埋設固定されたアンカーボルトの先端に形成した雄ねじ部を支承装置取付用プレートに形成した取付穴に挿通し、アンカーボルトの先端に形成した雄ねじ部に座金を介してナットを螺着して固定するものや、取付穴に雌ねじを形成しアンカーボルトの先端部に形成した雄ねじ部を雌ねじを形成した取付穴に直接螺着し固定するものや、支承装置取付用プレートとアンカーボルトを段付きカプラーと溶接手段を介して固定するものがある。
【先行技術文献】
【特許文献】
【０００３】
【特許文献１】特開２００１−３３１３号公報
【特許文献１】特開２００２−２５０００８号公報
【発明の概要】
【発明が解決しようとする課題】
【０００４】
しかしながら、アンカーボルトの先端に形成した雄ねじ部を支承装置取付用プレートに形成した取付穴に挿通し、アンカーボルトの先端に形成した雄ねじ部に座金を介してナットを螺着して固定する固定構造は、アンカーボルトの先端の雄ねじ部と取付穴との間に間隙が形成されるため地震時の水平力に対する抵抗力が弱く、さらに、アンカーボルト先端部の雄ねじ部の外径がアンカーボルト挿通穴の内径より小さいため、座金とナットでアンカーボルトと螺着後、座金と支承装置取付用プレートを溶接により固定する必要があり、支承装置の設置、取替えのための撤去作業が困難になるという問題を有する。
【０００５】
取付穴に雌ねじを形成しアンカーボルトの先端部に形成した雄ねじ部を雌ねじを形成した取付穴に直接螺着し固定する固定構造は、地震時の水平力に対向するため、螺着長さが必要であり、そのため支承装置取付用プレートの板厚を厚くしなければならず、軽量化が望まれる支承装置の重量を増加させるという問題と、支承装置の取替えのための撤去作業が困難であるという問題を有する。
【０００６】
支承装置取付用プレートとアンカーボルトを段付きカプラーと溶接手段を介して固定する固定構造は、支承装置の取替えのための撤去作業の際、アンカーボルトを埋設固定しているコンクリートのはつり作業が必要になるという問題を有する。
【０００７】
本発明は、上記従来技術の持つ課題を解決する、構造が簡単で支承装置取付用プレートとアンカーボルトの固定作業が容易で、地震時の水平力、上揚力に対する抵抗性が大きく、支承装置取替えのための撤去作業も容易にできる支承装置固定用カプラーを提供することを目的とする。
【課題を解決するための手段】
【０００８】
本第１発明は、前記課題を解決するために、支承装置固定用カプラーにおいて、支承装置取付用プレートに形成した取付穴の内径より大径なフランジ部と、前記取付穴の内径とほぼ同じ外径の円筒形カプラー本体部と、前記カプラー本体部に形成されるアンカーボルト螺着用の有底雌ネジ穴と、前記フランジ部に形成される回動工具係合部とを備えることを特徴とする。
【０００９】
本第２発明は、本第１発明の支承装置固定用カプラーにおいて、前記回動工具係合部を、多角形のフランジ、係合凹部、係合凸部のいずれかとすることを特徴とする。
【００１０】
本第３発明は、本第１発明又は第２発明の支承装置固定用カプラーにおいて、前記アンカーボルト螺着用の有底雌ねじ穴の底部の位置を前記フランジ部から前記支承装置取付プレートの厚み以下になるように形成することを特徴とする。
【発明の効果】
【００１１】
本発明の、支承装置取付用プレートに形成した取付穴の内径より大径なフランジ部と、前記取付穴の内径とほぼ同じ外径の円筒形のカプラー本体部と、前記カプラー本体部に形成されるアンカーボルト螺着用の有底雌ネジ穴と、前記フランジ部に形成される回動工具係合部とを備える構成により、取付穴の内径はカプラー本体部の外径により設定されるため、アンカーボルトを取付穴の上下側のいずれからも挿通可能であり支承装置の固定、撤去作業が容易になる。また、取付穴とカプラー本体との間に間隙が生じないので地震時の水平力に対する抵抗力を大きくでき、取付穴の内径より大きなフランジ部が地震時の上揚力に対して抵抗できる。さらに、フランジ部に回動工具係合部が形成されているため、支承装置の設置、撤去作業をカプラーの回動操作のみで実施できる。
回動工具係合部を、多角形のフランジ、係合凹部、係合凸部のいずれかとする構成により、簡単な構成で支承装置の設置、撤去作業時のカプラーの回動操作を容易にできる。
アンカーボルト螺着用の有底雌ねじ穴の底部の位置をフランジ部から支承装置取付プレートの厚み以下になるように形成する構成により、支承装置固定用カプラーを回動してアンカーボルトとの螺着を解除し支承装置取付用プレートからカプラーを取り外すだけで、支承装置取付用プレートを含む支承装置を容易に撤去できる。
【図面の簡単な説明】
【００１２】
【図１】（ａ）（ｂ）本発明の実施形態を示す図である。
【図２】（ａ）（ｂ）本発明の実施形態を示す図である。
【図３】（ａ）（ｂ）本発明の実施形態を示す図である。
【図４】本発明の実施形態を示す図である。
【発明を実施するための形態】
【００１３】
本発明の実施の形態を図により説明する。図１（ａ）（ｂ）は、本発明の支承装置固定用カプラーの第１の実施形態を示す平面図と正面図である。
【００１４】
支承装置固定用カプラー１７（以下、「カプラー」という。）は、建築物や橋梁等の構造物の上部構造と下部構造の間に配置固定される支承装置をアンカーボルトにより固定する際に用いられる。カプラー１７は、支承装置を取り付ける取付プレートに形成した取付穴の内径より大径のフランジ部１５を備えている。カプラー１７は、フランジ部１５から円筒形のカプラー本体部１８を備えている。カプラー本体部１８の外径は、取付プレートに形成した取付穴の内径とほぼ同じものとし、カプラー本体部１８の回動は許容するが間隙が生じないようにする。
【００１５】
取付穴とカプラー本体部１８との間の間隙を無くすことにより、地震時の水平力に対する抵抗性が向上する。取付プレートの取付穴の内径は、円筒形のカプラー本体部１９の外径により設定さる。そのため、取付穴の内径をアンカーボルトの最大外径より大きくすることができので、アンカーボルトを取付プレートの表裏面のいずれからでも取付穴に挿入でき、支承装置の設置作業が容易になる。
【００１６】
円筒形のカプラー本体部１８には、アンカーボルトの先端に形成した雄ねじ部と螺着する有底雌ねじ穴２６が形成される。有底雌ねじ穴２６の底部の位置を、フランジ部１５が取付プレートの表面と係合した状態で取付プレートの厚みＬより下方の位置になるように形成する。アンカーボルト螺着用の有底雌ねじ穴２６の底部の位置を取付プレートの下になるように形成することで、カプラーを回動してアンカーボルトとの螺着を解除し取付プレートからカプラーを取り外するだけで、取付プレートを含む支承装置を容易に交換できる。
【００１７】
フランジ部１５の表面には回動工具係合部２８が形成される。本発明の第１の実施形態では、回動工具係合部２８を多角形の所定深さの凹部として形成している。多角形の凹部からなる回動工具係合部２８に回動工具を係合させて回動することにより、アンカーボルトの先端の雄ねじ部とカプラー本体部１７に形成した有底雌ねじ穴２６との螺着、解除が容易に実施できる。
【００１８】
図２（ａ）（ｂ）は、本発明のカプラーの第２の実施形態を示す平面図と正面図である。
【００１９】
第２の実施形態では、フランジ部１５に形成される回動工具係合部２８を多角形の凸部として形成している。多角形の凸部からなる回動工具係合部２８に回動工具を係合させて回動することにより、アンカーボルトの先端の雄ねじ部とカプラー本体部１７に形成した有底雌ねじ穴２６との螺着、解除が容易に実施できる。他の構成は第１の実施形態と同様であるので説明を省略する。
【００２０】
図３（ａ）（ｂ）は、本発明のカプラーの第３の実施形態を示す平面図と正面図である。
【００２１】
第３の実施形態では、フランジ部１５に形成される回動工具係合部２８をフランジ部１５の外形を多角形として形成している。多角形の外形のフランジ部１５からなる回動工具係合部２８に回動工具を係合させて回動することにより、アンカーボルトの先端の雄ねじ部とカプラー本体部１７に形成した有底雌ねじ穴２６との螺着、解除が容易に実施できる。他の構成は第１及び第２の実施形態と同様であるので説明を省略する。
【００２２】
図４は、本発明のカプラーを構造物の支承装置に用いた状態を示す縦断面図である。本発明のカプラーは、橋梁、建築等の構造物の支承装置の固定のために用いられるものであり、支承装置の種類に限定されるものではない。また、図４では、下部構造への固定のために用いた例が示されているが、コンクリート製であれば上部構造に用いてよい。
【００２３】
支承装置２２は、上部構造１４とコンクリート製の下部構造２の間に設置される。支承装置２２は、下部構造２に固定される取付プレート５を備える。取付プレート５には予め支承装置２２が固定された状態で設置現場に搬送される。取付プレート５には複数の取付穴１０が形成される。取付穴１０の内径は、カプラー１７のフランジ部１５より小さく、カプラー本体部１８の外径とほぼ同じで、カプラー本体部１８が回動可能なものとする。また、取付穴１０の内径をアンカーボルト２３の最大外径より大きくすると、アンカーボルト２３をどの方向からでも挿入できる。
【００２４】
支承装置２２の設置の手順を説明する。下部構造２には複数のアンカーボルト用穴１を形成する。アンカーボルト用穴１は、取付プレート５に形成した取付穴１０の形成位置に対応するように形成する。支承装置２２を設置した取付プレート５を取付穴１０の位置が下部構造２に形成されたアンカーボルト用穴１に対応するように配置する。カプラー１７の有底雌ねじ穴２６にアンカーボルト２３の先端のアンカーボルト雄ねじ部８を螺着したものを取付穴１０からアンカーボルト用穴１に落とし込む。カプラー１７のフランジ部１５が取付プレート５の表面に係合する。この状態でアンカーボルト用穴に充填コンクリート又は充填無収縮モルタル１６を充填し固化させることで支承装置２２を下部構造２に固定することができる。その後、支承装置２２に上部構造１４を固定する。上部構造１４に本発明のカプラー１７を用いる場合も同様の手順で実施する。
【００２５】
支承装置２２を取り替えるための撤去作業の手順を説明する。カプラー１７のフランジ部１５に形成した回動工具係合部２８に回動工具を係合し、カプラー１７を解除方向に回動させ、有底雌ねじ部２６とアンカーボルト雄ねじ部８の螺着を解除する。そうするだけで下部構造２と取付プレート５の固定は解除される。支承装置２２と上部構造１４の連結を解除することにより支承装置２２を撤去できる。
【００２６】
古い支承装置２２の撤去後、新しい支承装置２２を設置する手順は、取付プレート５に形成される取付穴１０の位置が古い支承装置２２を固定していたアンカーボルト２３の先端の雄ねじ部８の位置と対応するものとする。新しい支承装置２２の取付プレート５を取付穴１０をアンカーボルト２３の先端部の雄ねじ部８に対応するように設置する。取付穴１０からカプラー１７を落とし込む、フランジ部１５に形成した回動工具係合部２８に回動工具を係合し、カプラー１７を連結方向に回動させ、有底雌ねじ部２６とアンカーボルト雄ねじ部８を螺着し、新しい支承装置２２を下部構造２に固定する。次に新しい支承装置２２と上部構造１４を連結する。
【００２７】
以上のように、本発明の支承装置固定用カプラーは、地震時の水平力、上揚力に抵抗することができ、上部構造又は下部構造への支承装置の設置、撤去を容易にすることができる。
【符号の説明】
【００２８】
１：アンカーボルト用穴、２：下部構造、５：取付プレート、８：アンカーボルト雄ねじ部、１０：取付穴、１４：上部構造、１５：フランジ部、１６：充填コンクリート又は充填無収縮モルタル、１７：支承装置固定用カプラー、１８：カプラー本体部、２２：支承装置、２３：アンカーボルト、２６：有底雌ねじ穴、２８：回動工具係合部
【図１】
2010216086.tif 000003
【図２】
2010216086.tif 000004
【図３】
2010216086.tif 000005
【図４】
2010216086.tif 000006